(57)【特許請求の範囲】
【請求項１】
取付環（３）を取り付けると共に、ローラ（８）の胴部にリング状板（９）を突設した上下回動体（４ａ）と、この上下回動体（４ａ）のリング状板（９）を間に挟み込んで支軸体（１０）により軸支しておけるようにしたリング状板（１１、１１）を突設した左右回動体（４ｂ）よりなる一対の連結部材（４）と、左右一対の開口（１５、１５）を形成すると共にこれら開口（１５、１５）のそれぞれの両端に軸受け（１６、１６）を突設した受け体（５ａ）と、当て部（１７、１７）を形成した閉鎖体（５ｂ）よりなる取付部材（５）とからなり、前記取付部材（５）の受け体（５ａ）の開口（１５、１５）に、それぞれ前記連結部材（４）の上下回動体（４ａ）のリング板（９）を挿入すると共に、受け体（５ａ）の軸受け（１６、１６）に上下回動体（４ａ）のローラ（８）の両端軸部（８ａ、８ａ）を軸支し、閉鎖体（５ｂ）の当て部（１７、１７）により、前記受け体（５ａ）の開口（１５、１５）を閉鎖することにより、前記連結部材（４）を上下左右方向に回動自在として、前記取付部材（５）により背当て（７）に取り付けたことを特徴とする背負い鞄の背負いベルト上端取付具。
【請求項２】
前記取付環（３）が、連結部材（４）に回動自在として取り付けたものであることを特徴とする請求項１記載の背負い鞄の背負いベルト上端取付具。
【請求項３】
前記連結部材（４）の上下左右方向への回動角が、約１８０度であることを特徴とする請求項１記載の背負い鞄の背負いベルト上端取付具。
【発明の詳細な説明】
【０００１】
【発明の属する技術分野】
この発明は、ランドセル、リュクサック、その他の背負い鞄の背負いベルト上端取付具に関するものである。
【０００２】
【従来の技術】
従来、この種の背負いベルト上端取付具は、背負い鞄の背当て部の最上段または最上段から少し下げた位置に取り付けていたが、この背負いベルト上端取付具は、その位置で固定されているため背負いベルトの取り付け位置を移動することができなかった。
【０００３】
そこで、本発明者は、実公平４−３０８９２号に示すような、背負いベルトの取り付け位置を左右方向に移動することができる背負いベルト上端取付具を提案した。この背負いベルト上端取付具は、図４、５に示したように、背負いベルト１の上端と連結する取付環３、３をそれぞれ取り付けた連結板２０、２０の対向側面にそれぞれ歯部２０ａ、２０ａを設け、これら歯部２０ａ、２０ａを互いに噛み合わせて連結板２０、２０をランドセル６の背当て部７にそれぞれ揺動自在に取り付けると共に、前記連結板２０、２０にそれぞれ内方向の弾力を付したものとしている。そして、前記連結板２０、２０をランドセル６の背当て部７に取り付けるには、連結板２０、２０を上下被覆板２１ａ、２１ｂの間に挟み込み、上被覆板２１ａの周端に設けられたリベット穴２２から下被覆板２１ｂの周端に設けられたリベット穴２３にリベット（図示せず）を貫通させて、ランドセル６の背当て部７の裏側に取り付けられる止め板にリベット止めしている。
【０００４】
【発明が解決しようとする課題】
上記従来の背負いベルト上端取付具は、使用者の体格に応じて背負いベルトの取り付け位置を左右方向に移動することができるので、使用し易いものとなっていたが、その移動幅が小さく、これだけでは使用者の体格に充分に合致させることができず、使用し易さについては未だ不充分であり、改良の余地が残されていた。
【０００５】
そこで、この発明は、背負いベルトの取り付け位置を左右方向に移動することができると共に上下方向にも移動することができるようにし、使用者の体格に完全に合致させることができるようにした背負い鞄の背負いベルト上端取付具を提供することを目的としてなされたものである。
【０００６】
【課題を解決するための手段】
そのため、この発明の背負い鞄の背負いベルト上端取付具は、取付環３を取り付けると共に、ローラ８の胴部にリング状板９を突設した上下回動体４ａと、この上下回動体４ａのリング状板９を間に挟み込んで支軸体１０により軸支しておけるようにしたリング状板１１、１１を突設した左右回動体４ｂよりなる一対の連結部材４と、左右一対の開口１５、１５を形成すると共にこれら開口１５、１５のそれぞれの両端に軸受け１６、１６を突設した受け体５ａと、当て部１７、１７を形成した閉鎖体５ｂよりなる取付部材５とからなり、前記取付部材５の受け体５ａの開口１５、１５に、それぞれ前記連結部材４の上下回動体４ａのリング板９を挿入すると共に、受け体５ａの軸受け１６、１６に上下回動体４ａのローラ８の両端軸部８ａ、８ａを軸支し、閉鎖体５ｂの当て部１７、１７により、前記受け体５ａの開口１５、１５を閉鎖することにより、前記連結部材４を上下左右方向に回動自在として、前記取付部材５により背当て７に取り付けたものとしている。
【０００７】
そして、前記取付環３、３は、連結部材４、４にそれぞれ回動自在として取り付けたものとするのが好ましい。
【０００８】
さらに、前記連結部材４、４の上下左右方向への回動角は、約１８０度とするのが好ましい。
【０００９】
【発明の実施の形態】
以下、この発明の背負い鞄の背負いベルト上端取付具の実施の形態を、図面に基づいて詳細に説明する。
【００１０】
図１は、この発明の背負いベルト上端取付具を備えたランドセルを背当て部側から見た斜視図を示している。図中、１は背負いベルトであり、この背負いベルト１の上端は上端取付具２に取り付けられており、背負いベルト１の下端は下端取付具（図示せず）に取り付けられている。
【００１１】
前記上端取付具２は、背負いベルト１の上端と回動自在に連結する左右一対の取付環３、３を回動自在に取り付けた連結部材４、４を、上下左右方向に回動自在として、取付部材５によりランドセル６の背当て部７に取り付けたものとしている。なお、前記取付環３、３は、連結部材４、４に回動自在に取り付けたものとしているが、連結部材４、４に固定した状態で取り付けたものとしてもよい。
【００１２】
前記連結部材４は、ローラ８の胴部にリング状板９を突設した上下回動体４ａと、この上下回動体４ａのリング状板９を間に挟み込んで支軸体１０により軸支しておけるようにしたリング状板１１、１１を突設した左右回動体４ｂよりなる。前記支軸体１０は、盲板１２ａに挿入部１２ｂを突設した挿入軸１２と、盲板１３ａに受け筒１３ｂを突設した受け軸１３よりなり、これら挿入軸１２と受け軸１３をリング状板１１、１１のリング穴１１ａ、１１ａ内で止着することにより、上下回動体４ａに左右回動体４ｂを回動自在として連結している。なお、前記挿入軸１２の盲板１２ａ、および受け軸１３の盲板１３ａは、それぞれ左右回動体４ｂに形成された窪み部１４に嵌め込まれ、左右回動体４ｂの表面と面一となる。また、上下回動体４ａと左右回動体４ｂとの連結は、リング状板９、リング状板１１、１１によっているため、連結部材４の左右方向への回動角は、図２に仮想線で示したように、約１８０度程度の大きなものにすることができる。
【００１３】
前記取付部材５は、左右一対の開口１５、１５を形成すると共にこれら開口１５、１５のそれぞれの両端に軸受け１６、１６を突設した受け体５ａと、当て部１７、１７を形成した閉鎖体５ｂよりなる。そして、この受け体５ａの開口１５、１５に、それぞれ前記上下回動体４ａのリング状板９挿入すると共に、受け体５ａの軸受け１６、１６に上下回動体４ａのローラ８の両端軸部８ａ、８ａを軸支し、閉鎖体５ｂの当て部１７により、前記受け体５ａの開口１５、１５を閉鎖することにより、上下回動体４ａを取付部材５に回動自在として連結している。また、上下回動体４ａと取付部材５との連結は、ローラ８の両端軸部８ａ、８ａと受け体５ａの軸受け１６、１６によっているため、連結部材４の上下方向への回動角は、図２に仮想線で示したように、約１８０度程度の大きなものにすることができる。
【００１４】
なお、１８は背負い鞄を不使用時に吊り下げておくための吊下げ環であり、取付部材５の受け体５ａに取り付けられている。
【００１５】
【発明の効果】
この発明の背負い鞄の背負いベルト上端取付具は、以上に述べたように構成されているため、背負いベルトの取り付け位置を左右方向に移動することができると共に上下方向にも移動することができるものとなり、使用者の体格に完全に合致させることができるようになったので、非常に使用し易くなり、使用者に圧迫感や疲労感等を与えないものとなった。
【図面の簡単な説明】
【図１】この発明の背負い鞄の背負いベルト上端取付具を備えたランドセルを背当て部側から見た斜視図である。
【図２】この発明の背負い鞄の背負いベルト上端取付具の斜視図である。
【図３】この発明の背負い鞄の背負いベルト上端取付具の分解斜視図である。
【図４】従来の背負い鞄の背負いベルト上端取付具を備えたランドセルを背当て部側から見た斜視図である。
【図５】従来の背負い鞄の背負いベルト上端取付具の一部分解斜視図である。
【符号の説明】
３  取付環
４  連結部材
５  取付部材
７  背当て部
【図１】
0003579805.tif 000002
【図２】
0003579805.tif 000003
【図３】
0003579805.tif 000004
【図４】
0003579805.tif 000005
【図５】
0003579805.tif 000006